(57)【要約】【課題】  快適性・デザイン性を損なうことなく、ロータンク内のメンテナンスの手間を低減出来る便器タンク装置を提供することを目的とする。【解決手段】  本発明は、便器洗浄水を貯めるロータンクと、前記ロータンクを収納するケーシングと、前記ケーシング上端部に配置されるケースふたと、前記ロータンクの外周縁に装着された防露ふたとで構成される便器タンク装置において、前記防露ふたの一部に開口部を設け、前記開口部に開閉可能なふた部材を被せたことを特徴とする。また、前記開口部に被せた前記ふた部材を前記防露ふたと別体で構成し、前記ふた部材の端部近傍を前記ケーシングの一部で保持してもよい【選択図】  図４
2006283413.tif 000002
【特許請求の範囲】
【請求項１】
便器洗浄水を貯めるロータンクと、前記ロータンクを収納するケーシングと、前記ケーシング上端部に配置されるケースふたと、前記ロータンクの外周縁に装着された防露ふたとで構成される便器タンク装置において、前記防露ふたの一部に開口部を設け、前記開口部に開閉可能なふた部材を被せたことを特徴とする便器タンク装置。
【請求項２】
前記開口部に被せた前記ふた部材を前記防露ふたと別体で構成し、前記ふた部材の端部近傍を前記ケーシングの一部で保持したことを特徴とする請求項1記載の便器タンク装置。
【請求項３】
前記ケーシングを、前ケーシングと、後ケーシングと、前記前ケーシング及び後ケーシングを上端で結合する内ふたとで構成したことを特徴とする請求項1または２記載の便器タンク装置。
【請求項４】
前記ふた部材の端部近傍に凹部を形成し、前記防露ふたに凸部を形成し、前記凹部と前記凸部を嵌合させるとともに、前記ふた部材の凹部上面から前記ケーシングの一部もしくは内ふたで保持したことを特徴とする請求項２または３記載の便器タンク装置。
【発明の詳細な説明】
【技術分野】
【０００１】
本発明は、便器に洗浄水を供給するための便器タンク装置に関する。
【背景技術】
【０００２】
昨今、トイレ空間の快適性向上のため、狭い空間でも着脱衣や手洗いなど行いやすくするため、便器装置のコンパクト化が望まれており、そのような要望に応じるためロータンクの容積をケーシング内で有効に確保する必要が生じている。
また、ケースふたを樹脂などの軽量な材料で構成し、便器タンク装置内部に電装部品を備える場合、ケースふたが容易に外れずかつ製品内部への水の浸入を防ぐための形状を、ケーシング上面に設ける必要がある。
これらの諸事情により、ケーシング上面開口部は、ロータンク外周縁よりも当然ながら小さくなる。
【０００３】
また、冬場の寒い時期に井戸水など暖かい水がロータンクに貯水された場合などロータンク近傍のケーシングおよびふたに結露が生じることがあり、この結露発生を防止するため、ロータンクの上端に防露ふたを装着しロータンク内の湿気の流出を抑えるようにしている。
【特許文献１】特開平１１−３２４０５８号公報
【発明の開示】
【発明が解決しようとする課題】
【０００４】
従来のケーシング上面開口部がロータンク外周縁よりも小さい便器タンクにおいて、便器洗浄水を貯めておくロータンク内部部品のメンテナンスを行なう場合、ケースふたを外すだけではロータンク外周縁に装着されている防露ふたを取り外すことが出来ず、ねじなどで固定されたケーシング本体を外す必要がありその分解・組立に要する手間が大きくなる。
【０００５】
更に本体外観を形成するケーシングは、１ピースで構成した場合成型する金型が非常に大きく量産性が悪化し、かつ金型の抜き勾配によるデザイン的な制約が生じるため、ケーシングを前後の２ピースに分割して、強度確保のために、その２ピースを結合する部品（内ふた）を前後ケーシングの上面に設けることがある。
このような場合、ロータンク内部部品のメンテナンスを行う際には、ケーシング前・後に加え内ふたも外す必要があり更に手間が大きくなってしまう。
【０００６】
本発明は、快適性・デザイン性を損なうことなく、ロータンク内のメンテナンスの手間を低減出来る便器タンク装置を提供することを目的とする。
【課題を解決するための手段】
【０００７】
上記目的を解決するために、本発明は、便器洗浄水を貯めるロータンクと、前記ロータンクを収納するケーシングと、前記ケーシング上端部に配置されるケースふたと、前記ロータンクの外周縁に装着された防露ふたとで構成される便器タンク装置において、前記防露ふたの一部に開口部を設け、前記開口部に開閉可能なふた部材を被せたことを特徴とする。
【０００８】
また、前記開口部に被せた前記ふた部材を前記防露ふたと別体で構成し、前記ふた部材の端部近傍を前記ケーシングの一部で保持してもよい。
【０００９】
さらに、前記ケーシングを、前ケーシングと、後ケーシングと、前記前ケーシング及び後ケーシングを上端で結合する内ふたとで構成してもよい。
【００１０】
また、前記ふた部材の端部近傍に凹部を形成し、前記防露ふたに凸部を形成し、前記凹部と前記凸部を嵌合させるとともに、前記ふた部材の凹部上面から前記ケーシングの一部もしくは内ふたで保持させてもよい。
【発明の効果】
【００１１】
本便器タンク装置においては、防露ふたに開閉可能なふた部を有するので、ロータンク内部部品のメンテナンスが必要な際、ケースふたのみ外せば防露ふたのふた部を開閉出来、メンテナンスの手間を大きく低減することが出来る。また、開口部のふた部を開閉式とすることによりメンテナンスを行なった際に、ふた部を紛失し防露効果を失うこともない。
【発明を実施するための最良の形態】
【００１２】
本発明の一形態について図面を用いて説明する。
図１は便器タンク装置を含む便器装置の外観斜視図、図２は図１のＡ−Ａ断面図、図３はケーシングの部品構成例、図４は、防露ふた・塞ぎふた・内ふたを分解した状態の斜視図、図５は図２におけるＢ部の詳細図、図６は図５におけるＣ部の詳細図である。
【００１３】
図２、３の通り、ケーシング２２内にロータンク２０が配置され、このロータンク２０に防露ふた１０が装着されている。
図３に示すように、ケーシング２２の構成は前ケーシング２３と後ケーシング２４に分割されており、数箇所の固定部６０にて便器装置の底板へねじ固定されている。またこの前ケーシング２３と後ケーシング２４は上面で内ふた３１と係合し数箇所の固定部６１にて各々ねじ固定されている。
【００１４】
ケースカバー２２上面には、樹脂製のケースふた２５が載設され、ケースカバー２２の上面にはケースふた２５と勘合する凸部６５が設けられている。この凸部６５により外部から内部への水の侵入を防ぐことが出来る。
【００１５】
ロータンク２０内には、所定水位となるように水を供給するためのボールタップ５５が取り付けられている。ボールタップ５５はフロート５１により上下方向に回動するレバー５６を備え、レバー５６が下方に傾くとボールタップ５５が開栓状態となり、ロータンク２０内に水を供給する。また、排水弁５２は便器洗浄レバー５４と玉鎖５３にて連結されており、便器洗浄レバー５４が引き上げられることにより、排水弁５２が開弁しロータンク内の水を便器へ放流する。
【００１６】
防露ふた１０は、図４〜６に示すとおり、中央付近にロータンク内に手が入れられ前記排水弁５２などのロータンク内部部品を出し入れ可能な開口部７０を備え、その開口部７０をふさぐ形で塞ぎふた１１が載設されている。塞ぎふた１１の端部近傍に２つの凹部８１、防露ふたに２つの凸部８０を備え、この凹部と凸部をそれぞれ嵌合させ、その凹部８１の上面を内ふた３１に近接させて上から保持させることが出来る。
この塞ぎふた１１は１ｍｍ以下の薄肉厚の樹脂真空成型品で剛性が低く変形可能であり、逆Ｕ字形状８２をヒンジとし開閉可能とされている。
塞ぎふた１１の凹部８１上面と内ふた３１のクリアランスｂは、凹凸のかかり寸法ａよりも小さく設定しており、塞ぎふた１１を開閉した際も、塞ぎふた１１の凹部８１と防露ふた１０の凸部８０の嵌合が外れることがない。
【００１７】
また、防露ふた１０の開口部７０の周縁は縦壁７１を有し、塞ぎふた１１が載った際、縦壁７１を覆う形で塞ぎふた１１の縁に縦壁７２が構成され、塞ぎふた１１を閉めた際もロータンク内に落ち込むことがない構成である。
【００１８】
図７はケーシングが１部品で構成した具体例である。
すなわち、塞ぎふた１１を保持する内ふた３１を、ケーシング２２と一体化させた点が、前述の実施形態と異なる。
【００１９】
図８はケーシングが1部品で構成され防露ふたの扉を一体で構成した具体例である。
防露ふた開口部の３面はトムソン刃にてカットし、残る1面を折り目９１とし、この折り目９１をヒンジとして扉を開閉出来る。また、扉のロータンク内への落ち込み防止として、扉の端部に前記カット部をまたぐ突起形状９２を熱溶着もしくは接着などにて固定する。
【図面の簡単な説明】
【００２０】
【図１】便器タンク装置を含む便器装置全体の斜視図
【図２】図１におけるＡ−Ａ断面図
【図３】ケーシングの部品構成例
【図４】防露ふた・塞ぎふた・内ふたの斜視図
【図５】図２におけるＢ部の拡大図
【図６】図５におけるＣ部の拡大図
【図７】他実施例を示す図
【図８】他実施例を示す図
【符号の説明】
【００２１】
１０・・・防露ふた
１１・・・塞ぎふた（ふた部材）
２０・・・ロータンク
２２・・・ケーシング
２３・・・前ケーシング
２４・・・後ケーシング後
２５・・・ケースふた
３１・・・内ふた
５１・・・フロート
５２・・・排水弁
５３・・・玉鎖
５４・・・便器洗浄レバー
５５・・・ボールタップ
５６・・・レバー
６０・・・ケーシングねじ固定部
６１・・・内ふたねじ固定部
６５・・・ケーシング凸形状
７０・・・開口部
７１・・・開口部周縁縦壁
７０・・・周縁縦壁
８０・・・凸部
８１・・・凹部
８２・・・ヒンジ部
【図１】
2006283413.tif 000003
【図２】
2006283413.tif 000004
【図３】
2006283413.tif 000005
【図４】
2006283413.tif 000006
【図５】
2006283413.tif 000007
【図６】
2006283413.tif 000008
【図７】
2006283413.tif 000009
【図８】
2006283413.tif 000010